(57)【要約】【課題】外部光配線に引き抜く力又は押し込む力が働いたときに、その力が内部光配線に伝達され難いアクティブ光ケーブルを実現する。【解決手段】アクティブ光ケーブル（１）は、内部光配線（内部光ケーブル１２２）、及び、該内部光配線（内部光ケーブル１２２）を収容する筐体（１２１）を含むコネクタ（第１のコネクタ１２）と、外部光配線（１１１）、及び、該外部光配線（外部光ケーブル１１１）と上記内部光配線（内部光ケーブル１２２）とを光学的に接続するための光コネクタ（雌型光コネクタ１１１ｃ）を含むケーブル（１１）と、を備えており、上記光コネクタ（雌型光コネクタ１１１ｃ）は、上記筐体（１２１）に嵌合している。【選択図】図２
2019168605.tif 000002
【特許請求の範囲】
【請求項１】
内部光配線、及び、該内部光配線を収容する筐体を含むコネクタと、
外部光配線、及び、該外部光配線と上記内部光配線とを光学的に接続するための光コネクタを含むケーブルと、を備えており、
上記光コネクタは、上記筐体に嵌合している、ことを特徴とするアクティブ光ケーブル。
【請求項２】
上記光コネクタは、上記外部光配線の一端に設けられており、上記内部光配線の一端に設けられた他の光コネクタと挿抜可能に接続されている、
ことを特徴とする請求項１に記載のアクティブ光ケーブル。
【請求項３】
上記光コネクタには、鍔部が形成されており、
上記筐体には、上記鍔部と相補的な形状を有する溝部が形成されており、
上記光コネクタの上記鍔部は、上記筐体の上記溝部に嵌合している、
ことを特徴とする請求項１又は２に記載のアクティブ光ケーブル。
【請求項４】
上記光コネクタの上記鍔部は、上記筐体の上記溝部に圧入されている、
ことを特徴とする請求項３に記載のアクティブ光ケーブル。
【請求項５】
上記光コネクタの上記鍔部は、上記筐体の上記溝部に接着固定されている、
ことを特徴とする請求項３又は４に記載のアクティブ光ケーブル。
【請求項６】
上記光コネクタは、上記筐体に形成されたゲートに挿入されており、
上記溝部は、上記筐体の側壁の端面のうち、上記ゲートの三方を取り囲む端面から、上記三方に向かって陥入しており、
上記鍔部は、上記光コネクタの外側面から、上記三方に向かって突出している、
ことを特徴とする請求項３〜５の何れか１項に記載のアクティブ光ケーブル。
【請求項７】
上記コネクタは、当該コネクタを外部機器に電気的に接続するための電気コネクタ、及び、上記内部光配線に接続されると共に、内部電気配線を介して上記電気コネクタに接続された電気回路基板を更に含んでおり、
上記内部電気配線は、余丁を有して曲がっている、フレキシブルな電気配線である、
ことを特徴とする請求項１〜６の何れか１項に記載のアクティブ光ケーブル。
【請求項８】
上記内部電気配線は、ＦＰＣケーブルである、
ことを特徴とする請求項７に記載のアクティブ光ケーブル。
【請求項９】
上記内部光配線は、単一の山を形成するように曲がっている、
ことを特徴とする請求項１〜８の何れか１項に記載のアクティブ光ケーブル。
【請求項１０】
上記コネクタに含まれる電気回路基板を平面視したときに、上記単一の山は、上記電気回路基板と重なる位置に形成されている、
ことを特徴とする請求項９に記載のアクティブ光ケーブル。
【発明の詳細な説明】
【技術分野】
【０００１】
本発明は、アクティブ光ケーブルに関する。
【背景技術】
【０００２】
メタルケーブルに代わる伝送媒体のひとつとして、アクティブ光ケーブルが注目を集めている。アクティブ光ケーブルは、２つのコネクタと、これら２つのコネクタを繋ぐ複合ケーブルとにより構成される。アクティブ光ケーブルを用いることによって、従来、メタルケーブルを用いて行われていた電気信号による機器間通信を、光信号による機器間通信に置き換えることができる。アクティブ光ケーブルを開示した文献としては、例えば、特許文献１が挙げられる。
【先行技術文献】
【特許文献】
【０００３】
【特許文献１】特開２０１１−２４８２２１号公報
【発明の概要】
【発明が解決しようとする課題】
【０００４】
アクティブ光ケーブルにおいては、配線作業時等において、コネクタから引き抜く力、又は、コネクタに押し込む力が外部光配線（複合ケーブルに含まれる光配線）に働く場合がある。外部光配線をコネクタから引き抜く力が内部光配線（コネクタに含まれる光配線）に伝達されると、コネクタの内部において内部光配線の接続に不具合が生じることがある。また、外部光配線をコネクタに押し込む力が内部光配線に伝達されると、内部光配線に含まれる光ファイバの座屈を生じることがある。
【０００５】
本発明は、上記の問題に鑑みてなされたものであり、その目的は、外部光配線に引き抜く力又は押し込む力が働いたときに、その力が内部光配線に伝達され難いアクティブ光ケーブルを実現することにある。
【課題を解決するための手段】
【０００６】
上記の課題を解決するために、本発明の一態様に係るアクティブ光ケーブルは、内部光配線、及び、該内部光配線を収容する筐体を含むコネクタと、外部光配線、及び、該外部光配線と上記内部光配線とを光学的に接続するための光コネクタを含むケーブルと、を備えており、上記光コネクタは、上記筐体に嵌合している。
【０００７】
本発明の一態様に係るアクティブ光りケーブルにおいて、上記光コネクタは、上記外部光配線の一端に設けられており、上記内部光配線の一端に設けられた他の光コネクタと挿抜可能に接続されている、ことが好ましい。
【０００８】
本発明の一態様に係るアクティブ光ケーブルにおいて、上記光コネクタには、鍔部が形成されており、上記筐体には、上記鍔部と相補的な形状を有する溝部が形成されており、上記光コネクタの上記鍔部は、上記筐体の上記溝部に嵌合している、ことが好ましい。
【０００９】
本発明の一態様に係るアクティブ光ケーブルにおいて、上記光コネクタの上記鍔部は、上記筐体の上記溝部に圧入されている、ことが好ましい。
【００１０】
本発明の一態様に係るアクティブ光ケーブルにおいて、上記光コネクタの上記鍔部は、上記筐体の上記溝部に接着固定されている、ことが好ましい。
【００１１】
本発明の一態様に係るアクティブ光ケーブルにおいて、上記光コネクタは、上記筐体に形成されたゲートに挿入されており、上記溝部は、上記筐体の側壁の端面のうち、上記ゲートの三方を取り囲む端面から、上記三方に向かって陥入しており、上記鍔部は、上記光コネクタの外側面から、上記三方に向かって突出している、ことが好ましい。
【００１２】
本発明の一態様に係るアクティブ光ケーブルにおいて、上記コネクタは、当該コネクタを外部機器に電気的に接続するための電気コネクタ、及び、上記内部光配線に接続されると共に、内部電気配線を介して上記電気コネクタに接続された電気回路基板を更に含んでおり、上記内部電気配線は、余丁を有して曲がっている、フレキシブルな電気配線である、ことが好ましい。
【００１３】
本発明の一態様に係るアクティブ光ケーブルにおいて、上記内部電気配線は、ＦＰＣケーブルである、ことが好ましい。
【００１４】
本発明の一態様に係るアクティブ光ケーブルにおいて、上記内部光配線は、単一の山を形成するように曲がっている、ことが好ましい。
【００１５】
本発明の一態様に係るアクティブ光ケーブルにおいて、上記コネクタに含まれる電気回路基板を平面視したときに、上記単一の山は、上記電気回路基板と重なる位置に形成されている、ことが好ましい。
【発明の効果】
【００１６】
本発明の一態様によれば、外部光配線に引き抜く力又は押し込む力が働いたときに、その力が内部光配線に伝達されることを抑制することができる。このため、本発明の一態様は、（１）内部光配線に引き抜く力が働いたときに生じ得る、内部光配線の接続の不具合を抑制することができるという効果、及び、（２）内部光配線に押し込む力が働いたときに生じ得る、内部光配線に含まれる光ファイバの座屈を防止することができるという効果、の何れか一方又は両方を奏する。
【図面の簡単な説明】
【００１７】
【図１】本発明の一実施形態に係るアクティブ光ケーブルの構成を示す斜視図である。
【図２】（ａ）は、図１に示すアクティブ光ケーブルの横断面を示す断面図である。（ｂ）は、図１に示すアクティブ光ケーブルの縦断面を示す断面図である。
【図３】図１に示すアクティブ光ケーブルの製造方法に含まれる第１の工程を実施する様子を示す断面図である。
【図４】図１に示すアクティブ光ケーブルの製造方法に含まれる第２の工程を実施する様子を示す断面図である。
【図５】図１に示すアクティブ光ケーブルの製造方法に含まれる第３の工程を実施する様子を示す断面図である。
【図６】図１に示すアクティブ光ケーブルの製造方法に含まれる第４の工程を実施する様子を示す断面図である。
【図７】図１に示すアクティブ光ケーブルの製造方法に含まれる第５の工程を実施する様子を示す断面図である。
【図８】図１に示すアクティブ光ケーブルの製造方法に含まれる第６の工程を実施する様子を示す断面図である。
【図９】図１に示すアクティブ光ケーブルの製造方法に含まれる第７の工程を実施する様子を示す断面図である。
【図１０】図１に示すアクティブ光ケーブルの製造方法に含まれる第８の工程を実施する様子を示す断面図である。
【発明を実施するための形態】
【００１８】
〔アクティブ光ケーブルの構成〕
本発明の一実施形態に係るアクティブ光ケーブル１の構成について、図１を参照して説明する。図１は、アクティブ光ケーブル１の構成を示す斜視図である。
【００１９】
アクティブ光ケーブル１は、図１に示すように、複合ケーブル１１と、複合ケーブル１１の一端に設けられた第１のコネクタ１２と、複合ケーブル１１の他端に設けられたコネクタ１３と、を備えている。
【００２０】
複合ケーブル１１は、光ケーブル１１１と、電気ケーブル１１２ａ〜１１２ｂと、被覆１１３と、を備えた、第１のコネクタ１２と第２のコネクタ１３とを繋ぐコネクタ間ケーブルである。光ケーブル１１１と電気ケーブル１１２ａ〜１１２ｂとは、被覆１１３によって束ねられている。
【００２１】
光ケーブル１１１には、第１の光ファイバ１１１ａ１と、第２の光ファイバ１１１ａ２と、が含まれている。第１の光ファイバ１１１ａ１は、第１のコネクタ１２から第２のコネクタ１３への信号送信に利用される。第２の光ファイバ１１１ａ２は、第２のコネクタ１３から第１のコネクタ１２への信号送信に利用される。電気ケーブル１１２ａ〜１１２ｂは、例えば、第１のコネクタ１２と第２のコネクタ１３との間の制御信号の送受信に利用される。この場合、一方の電気ケーブル１１２ａは、例えば、信号ラインとして機能し、他方の電気ケーブル１１２ｂは、例えば、グランドラインとして機能する。
【００２２】
なお、電気ケーブル１１２ａ〜１１２ｂは、必須ではなく、省略することも可能である。また、電気ケーブル１１２ａ〜１１２ｂの代わりに、或いは、電気ケーブル１１２ａ〜１１２ｂに加えて、第１のコネクタ１２から第２のコネクタ１３への電力供給、又は、第２のコネクタ１３から第１のコネクタ１２への電力供給に利用される他の電気ケーブルが複合ケーブル１１に含まれていても構わない。
【００２３】
第１のコネクタ１２は、アクティブ光ケーブル１と第１の外部機器とを電気的に接続するためのコネクタである。第２のコネクタ１３は、アクティブ光ケーブル１と第２の外部機器とを電気的に接続するためのコネクタである。
【００２４】
第１の外部機器から第２の外部機器への信号送信を行う場合、第１のコネクタ１２は、第１の外部機器から入力された電気信号を光信号に変換すると共に、この変換により得られた光信号を第１の光ファイバ１１１ａ１を介して第２のコネクタ１３へと送信する。この場合、第２のコネクタ１３は、この光信号を電気信号に変換すると共に、この変換により得られた電気信号を第２の外部機器に出力する。
【００２５】
第２の外部機器から第１の外部機器への信号送信を行う場合、第２のコネクタ１３は、第２の外部機器から入力された電気信号を光信号に変換すると共に、この変換により得られた光信号を第２の光ファイバ１１１ａ２を介して第１のコネクタ１２へと送信する。この場合、第１のコネクタ１２は、この光信号を電気信号に変換すると共に、この変換により得られた電気信号を第１の外部機器に出力する。
【００２６】
なお、本実施形態においては、第１のコネクタ１２と第２のコネクタ１３との間の双方向通信を２本の光ファイバ１１１ａ１〜１１１ａ２を用いて実現する構成が採用されているが、本発明はこれに限定されない。例えば、第１のコネクタ１２と第２のコネクタ１３との間の双方向通信を３本以上の光ファイバを用いて実現する構成を採用してもよい。このような構成を採用することにより、通信速度を高速化、又は、通信容量を大容量化することが可能になる。或いは、第１のコネクタ１２と第２のコネクタ１３との間の双方向通信を１本の光ファイバを用いて実現する構成を採用してもよい。このような構成を採用することにより、複合ケーブル１１を細径化することが可能になる。
【００２７】
なお、アクティブ光ケーブルの用途としては、例えば、産業機器同士の接続が挙げられる。アクティブ光ケーブルを産業機器同士の接続に用いる場合、ダクト内への配線など、悪条件下での配線作業を強いられることがある。この場合、複合ケーブルには、配線作業時に様々な力が働く。例えば、複合ケーブルをコネクタから引き抜く力が働く。或いは、複合ケーブルをコネクタに押し込む力が働く。本実施形態に係るアクティブ光ケーブル１は、こうした力に対する耐性を高め、産業機器同士の接続に好適に利用できるように工夫されたものである。ただし、本実施形態に係るアクティブ光ケーブル１の用途は、産業用機器同士の接続に限定されない。
【００２８】
以下、第１のコネクタ１２の構造について説明する。なお、第２のコネクタ１３の構造は、第１のコネクタ１２の構造と同様であるため、その説明を省略する。以下、第１のコネクタ１２のことを、単に「コネクタ１２」と記載する。
【００２９】
〔コネクタの構造〕
コネクタ１２の構造について、図２を参照して説明する。図２において、（ａ）は、コネクタ１２のＡ−Ａ’断面（図１参照）の断面図であり、（ｂ）は、コネクタ１２のＢ−Ｂ’断面（図１参照）の断面図である。
【００３０】
コネクタ１２は、筐体１２１と、光ケーブル１２２と、光回路基板１２３と、ワイヤ群１２４と、電気回路基板１２５と、電気ケーブル１２６と、電気コネクタ１２７と、台座１２８と、ヒートシンク１２９と、を備えている。以下、複合ケーブル１１に含まれる光ケーブル１１１のことを、「外部光ケーブル」と記載し、コネクタ１２に含まれる光ケーブル１２２のことを、「内部光ケーブル」と記載する。
【００３１】
筐体１２１は、直方体状の外形を有しており、上部筐体１２１ａと、下部筐体１２１ｂと、に分割されている。上部筐体１２１ａは、（１）長方形状の天板１２１ａ０と、（２）上端が天板１２１ａ０の一方の短辺に連なる長方形状の第１側壁１２１ａ１と、（３）上端が天板１２１ａ０の一方の長辺に連なる長方形状の第２側壁１２１ａ２と、（４）上端が天板１２１ａ０の他方の長辺に連なる長方形状の第３側壁１２１ａ３と、により構成されている。下部筐体１２１ｂは、（１）上部筐体１２１ａの天板１２１ａ０と対向する長方形状の底板１２１ｂ０と、（２）下端が底板１２１ｂ０の一方の短辺に連なり、上端が上部筐体１２１ａの第１側壁１２１ａ１の下端に接する長方形状の第１側壁１２１ｂ１と、（３）下端が底板１２１ｂ０の一方の長辺に連なり、上端が上部筐体１２１ａの第２側壁１２１ａ２の下端に接する長方形状の第２側壁（図２において不図示）と、（４）下端が底板１２１ｂ０の他方の長辺に連なり、上端が上部筐体１２１ａの第２側壁１２１ａ２の下端に接する長方形状の第３側壁（図２において不図示）と、により構成されている。なお、筐体１２１の後方（図２の紙面において左方向）は、第１側壁１２１ａ１及び第１側壁１２１ｂ１により閉塞されているが、筐体１２１の前方（図２の紙面において右方向）は、開放されている。
【００３２】
内部光ケーブル１２２は、外部光ケーブル１１１と光回路基板１２３とを光学的に接続するための光配線であって、フレキシブルな光配線である。本実施形態においては、内部光ケーブル１２２として、リボン光ファイバケーブルを用いている。すなわち、かかる内部光ケーブル１２２は、互いに平行に並べた光ファイバ１２２ａ１〜１２２ａ２（例えば０．２５ｍｍ素線）のうち各光ファイバの中央部分が紫外線硬化樹脂等からなる被覆１２２ｂで一括被覆され、各光ファイバの端部が短冊状に切りそろえられたテープ心線として得られる。
【００３３】
内部光ケーブル１２２と上述した外部光ケーブル１１１との接続は、例えば、以下のように実現される。すなわち、外部光ケーブル１１１の一方の端部には、雌型光コネクタ１１１ｃが設けられている。また、内部光ケーブル１２２の一方の端部には、雌型光コネクタ１１１ｃに挿抜可能な雄型光コネクタ１２２ｃが設けられている。外部光ケーブル１１１と内部光ケーブル１２２との力学的な接続は、雄型光コネクタ１２２ｃを雌型光コネクタ１１１ｃに挿入することによって実現される。このとき、外部光ケーブル１１１に含まれる光ファイバ１１１ａ１〜１１１ａ２の端面と内部光ケーブル１２２に含まれる光ファイバ１２２ａ１〜１２２ａ２の端面とが互いに対向する。これにより、外部光ケーブル１１１と内部光ケーブル１２２との光学的な接続が実現される。なお、本実施形態においては、雄型光コネクタ１２２ｃとして、雄型ＭＰＯ（Multi-Fiber Push On）コネクタを用いている。また、本実施形態においては、雌型光コネクタ１１１ｃとして、雌型ＭＰＯコネクタを用いている。
【００３４】
雌型光コネクタ１１１ｃは、上部筐体１２１ａの第１側壁１２１ａ１に形成されたゲート１２１ａ４に挿入される。上部筐体１２１ａの第１側壁１２１ａ１の端面のうち、ゲート１２１ａ４の三方（上方、右方、及び左方）を取り囲む端面には、三方（上方、右方、及び左方）に向かって陥入した溝部１２１ａ５が形成されている。一方、雌型光コネクタ１１１ｃの外側面には、三方（上方、右方、及び左方）に突出した鍔部１１１ｃ１が形成されている。雌型光コネクタ１１１ｃの鍔部１１１ｃ１の形状は、上部筐体１２１ａの溝部１２１ａ５の形状と相補的であり、雌型光コネクタ１１１ｃの鍔部１１１ｃ１は、上部筐体１２１ａの溝部１２１ａ５に嵌合している。これにより、雌型光コネクタ１１１ｃが上部筐体１２１ａに対して前後又は左右に移動することが抑制される。このため、外部光ケーブル１１１に引き抜く力又は押し込む力が働いたときに、その力が内部光ケーブル１２２に伝達されることが抑制される。
【００３５】
なお、複合ケーブル１１は、端部において被覆１１３が除去されている。このため、外部光ケーブル１１１及び電気ケーブル１１２ａ〜１１２ｂは、この端部において被覆１１３から迫り出している。被覆１１３、及び、被覆１１３から迫り出した電気ケーブル１１２ａ〜１１２ｂの一方又は両方は、例えば、上部筐体１２１ａの第１側壁１２１ａ１の外側に設けられた筒状部１２１ａ８の内側面に接着固定することができる。これにより、複合ケーブル１１に引き抜く力又は押し込む力が働いたときに、その力が内部光ケーブル１２２に伝達されることが更に抑制される。
【００３６】
光回路基板１２３は、第１の光導波路１２３ａ１及び第２の光導波路１２３ａ２を含む光回路（不図示）が形成された半導体光導波路基板である。光回路基板１２３に形成される送信用の光回路としては、例えば、ＬＤ素子及び光変調器（例えば、マッハ・ツェンダ型光変調器）が挙げられる。これら送信用の光回路により生成された光信号は、第１の光導波路１２３ａ１を介して内部光ケーブル１２２に含まれる第１の光ファイバ１２２ａ１に入力される。光回路基板１２３に形成される受信用の光回路としては、例えば、ＰＤ素子が挙げられる。内部光ケーブル１２２に含まれる第２の光ファイバ１２２ａ２から出力された光信号は、第２の光導波路１２３ａ２を介してこれら受信用の光回路に入力される。光回路基板１２３には、更に、電気回路（不図示）を形成することも可能である。光回路基板１２３に形成可能な送信用の電気回路としては、例えば、上述したＬＤ素子を駆動するＬＤドライバが挙げられる。また、光回路基板１２３に形成可能な受信用の電気回路としては、例えば、上述したＰＤ素子にて生成された電気信号を増幅するトランスインピーダンスアンプ及びリミッティングアンプが挙げられる。本実施形態においては、光回路基板１２３として、シリコン光導波路基板（シリコンチップ）を用いている。この場合、上述した各光回路は、例えば、シリコンフォトニクス技術を用いて形成される。また、この場合、上述した各電気回路は、例えば、ＣＭＯＳ技術を用いて形成される。
【００３７】
光回路基板１２３と上述した内部光ケーブル１２２との接続は、例えば、以下のように実現される。すなわち、内部光ケーブル１２２は、他方の端部（雄型光コネクタ１２２ｃが設けられている端部と反対側の端部）において被覆１２２ｂが除去されている。このため、光ファイバ１２２ａ１〜１２２ａ２は、内部光ケーブル１２２の他方の端部において、被覆１２２ｂから迫り出している。また、光回路基板１２３の上面には、被覆１２２ｂから迫り出した光ファイバ１２２ａ１〜１２２ａ２を収容するためのＶ溝１２３ｂ１〜１２３ｂ２が形成されている。内部光ケーブル１２２と光回路基板１２３との力学的な接続は、被覆１２２ｂから迫り出した光ファイバ１２２ａ１〜１２２ａ２をＶ溝１２３ｂ１〜１２３ｂ２に接着固定することにより実現される。このとき、内部光ケーブル１２２に含まれる光ファイバ１２２ａ１〜１２２ａ２の端面と光回路基板１２３に含まれる光導波路１２３ａ１〜１２３ａ２の端面とが互いに対向する。これにより、内部光ケーブル１２２と光回路基板１２３との光学的な接続が実現される。なお、光ファイバ１２２ａ１〜１２２ａ２とＶ溝１２３ｂ１〜１２３ｂ２との接着固定には、例えば、紫外線硬化型のエポキシ接着剤を用いることができる。
【００３８】
なお、光回路基板１２３に含まれる光導波路１２３ａ１〜１２３ａ２のサイズ（例えば、数百ｎｍ）は、内部光ケーブル１２２に含まれる光ファイバ１２２ａ１〜１２２ａ２のコアのサイズ（例えば、１０μｍ）よりも小さい場合がある。この場合、光回路基板１２３に含まれる光導波路１２３ａ１〜１２３ａ２に、スポットサイズコンバータを設けることが好ましい。これにより、光回路基板１２３に含まれる光導波路１２３ａ１〜１２３ａ２と内部光ケーブル１２２に含まれる光ファイバ１２２ａ１〜１２２ａ２との接続損失を小さく抑えることが可能になる。
【００３９】
また、光回路基板１２３は、台座１２８を介してヒートシンク１２９に接合されている。より具体的には、光回路基板１２３の下面は、台座１２８の上面に接合されており、台座１２８の下面は、ヒートシンク１２９の上面に接合されている。台座１２８は、例えば、窒化アルミセラミックスにより構成された板状部材であり、ヒートシンク１２９は、例えば、銅、銅合金、又はアルミニウムにより構成された板状部材である。これにより、光回路基板１２３にて発生した熱を、台座１２８及びヒートシンク１２９を介して効率的に散逸させることが可能になる。なお、光回路基板１２３と台座１２８との接合、及び、台座１２８とヒートシンク１２９との接合には、例えば、半田（例えば、ヒートシンク１２９の材料が銅又は銅合金である場合）又はＡｇペーストなどのダイペースト（例えば、ヒートシンクの材料がアルミニウムである場合）が用いられる。
【００４０】
光回路基板１２３と上述した外部光ケーブル１１１とを接続する内部光ケーブル１２２の長さは、外部光ケーブル１１１の雌型光コネクタ１１１ｃからＶ溝１２３ｂ１までの距離よりも長く、また、雌型光コネクタ１１１ｃからＶ溝１２３ｂ２までの距離よりも長い。すなわち、内部光ケーブル１２２は、余長部分を有しており、余長部分は、天板１２１ａ０に近づく方向に曲がっている。このため、内部光ケーブル１２２に引き抜く力が働いたとしても、主として内部光ケーブル１２２に応力が掛かり、内部光ケーブル１２２の余長部分が低減することになるので、内部光ケーブル１２２と光回路基板１２３との接続部分に応力が掛かりにくくなり、内部光ケーブル１２２と光回路基板１２３との接続不良を抑制できる。したがって、内部光ケーブル１２２に引き抜く力が働くことによって生じ得る、内部光ケーブル１２２と光回路基板１２３との接続の不具合を抑制することができる。また、内部光ケーブル１２２に押し込む力が働いたとしても、内部光ケーブル１２２が余長部分を有するので、余長を有さない場合の構成による内部光ケーブル１２２に対して急激なたわみが発生することを抑制できる。したがって、内部光ケーブル１２２に押し込む力が働くことによって生じ得る、内部光ケーブル１２２に含まれる光ファイバ１２２ａ１又は光ファイバ１２２ａ２の座屈を抑制することができる。
【００４１】
ワイヤ群１２４は、光回路基板１２３と電気回路基板１２５とを電気的に接続するための電気配線である。ワイヤ群１２４は、複数のワイヤ１２４ａ１〜１２４ａ５により構成されている。本実施形態においては、ワイヤ１２４ａ１〜１２４ａ５として、φ２０ｍｍ〜２５ｍｍのＡｕワイヤを用いている。
【００４２】
ワイヤ群１２４と上述した光回路基板１２３との接続は、例えば、以下のように実現される。すなわち、光回路基板１２３の上面には、電気信号を入出力するためのＩ／Ｏパッド１２３ｂ１〜１２３ｂ５が形成されている。そして、各Ｉ／Ｏパッド１２３ｂｉ（ｉ＝１，２，…，６）には、そのＩ／Ｏパッド１２３ｂｉに対応するワイヤ１２４ａｉの一方の端部がボンディングされている。これにより、光回路基板１２３とワイヤ群１２４との電気的な接続が実現される。なお、ワイヤ１２４ａｉとＩ／Ｏパッド１２３ｂｉとのボンディングは、ボールボンディングであってもよいし、ウェッジボンディングであってもよい。また、ワイヤ１２４ａ１〜１２４ａ５を用いたワイヤボンディングの代わりに、リボンを用いたリボンボンディングを行ってもよい。なお、リボンボンディングは、光回路基板１２３と電気回路基板１２５との間で送受信する電気信号が高周波信号である場合又は大電流信号である場合に好適な接続手段である。
【００４３】
電気回路基板１２５は、電気回路（不図示）が形成されたリジッド基板である。電気回路基板１２５に形成される素子としては、例えば、抵抗、キャパシタ、インダクタ、及び制御用ＩＣが挙げられる。これらの素子は、例えば、電気回路基板１２５の表面に形成されたパターン配線（不図示）によって互いに接続され、送信用の電気回路及び受信用の電気回路を構成する。電気回路基板１２５に形成された送信用の電気回路は、送信信号として電気回路基板１２５から光回路基板１２３に供給する電気信号を生成するために利用される。電気回路基板１２５に形成された受信用の電気回路は、受信信号として光回路基板１２３から電気回路基板１２５に供給された電気信号を処理するために利用される。本実施形態においては、電気回路基板１２５として、ＰＣＢ（Print Circuit Board）を用いている。
【００４４】
電気回路基板１２５と上述したワイヤ群１２４との接続は、例えば、以下のように実現される。すなわち、電気回路基板１２５の上面には、電気信号を入出力するためのＩ／Ｏパッド１２５ｂ１〜１２５ｂ５が形成されている。そして、各Ｉ／Ｏパッド１２５ｂｉ（ｉ＝１，２，…，６）には、そのＩ／Ｏパッド１２５ｂｉに対応するワイヤ１２４ａｉの他方の端部（光回路基板１２３のＩ／Ｏパッド１２３ｂｉにボンディングされる端部と反対側の端部）がボンディングされている。これにより、ワイヤ群１２４と電気回路基板１２５との電気的な接続が実現される。なお、ワイヤ１２４ａｉとＩ／Ｏパッド１２３ｂｉとのボンディングは、ボールボンディングであってもよいし、ウェッジボンディングであってもよい。
【００４５】
電気回路基板１２５には、開口１２５ａが形成されている。上述した光回路基板１２３は、光回路基板１２３の上面と電気回路基板１２５の上面とが略面一になるように、この開口１２５ａの内部に配置されている。光回路基板１２３が電気回路基板１２５の開口１２５ａの内部に配置されていることにより、光回路基板１２３と電気回路基板１２５とを並べて配置する構成と比べて、或いは、光回路基板１２３と電気回路基板１２５とを重ねて配置する構成と比べて、コネクタ１２のサイズを小型化することが可能になる。また、光回路基板１２３の上面と電気回路基板１２５の上面とが略面一であることにより、ワイヤ群１２４を用いた光回路基板１２３と電気回路基板１２５との接続（すなわち、ワイヤボンディング）が容易になる。
【００４６】
また、電気回路基板１２５は、上部筐体１２１ａの天板１２１ａ０に形成されたボス１２１ａ６に固定（例えば、ネジ止め）されている。また、上述したヒートシンク１２９は、その上面の外周部が電気回路基板１２５の下面に開口１２５ａの周辺で接合されている。また、上述した台座１２８は、その下面がヒートシンクの上面に接合されている。また、上述した光回路基板１２３は、その下面が台座１２８の上面に接合されている。このため、光回路基板１２３、電気回路基板１２５、台座１２８、及びヒートシンク１２９は、上部筐体１２１ａと一体的に取り扱うことが可能である。
【００４７】
電気ケーブル１２６は、電気回路基板１２５と電気コネクタ１２７とを電気的に接続するための電気配線である。本実施形態においては、電気ケーブル１２６として、ＦＰＣ（Flexible Print Circuit）ケーブルを用いている。かかる電気ケーブル１２６は、フレキシブル基板１２６ａと、フレキシブル基板１２６ａの上面に形成された帯状導体１２６ｂ１〜１２６ｂ９と、により構成される。なお、電気ケーブル１２６として、ＦＰＣケーブルを用いる代わりに、電気ケーブル１２６として、ＦＦＣ（Flexible Flat Cable）を用いてもよい。
【００４８】
電気ケーブル１２６と上述した電気回路基板１２５との接続は、例えば、以下のように実現される。すなわち、電気回路基板１２５の下面には、電気信号を入出力するためのＩ／Ｏパッド１２５ｃ１〜１２５ｃ９が形成されている。そして、各Ｉ／Ｏパッド１２５ｃｉ（ｉ＝１，２，…，９）には、そのＩ／Ｏパッド１２５ｃｉに対応する帯状導体１２６ｂｉの一方の端部が半田付けされている。これにより、電気回路基板１２５と電気ケーブル１２６との電気的な接続が実現される。
【００４９】
電気コネクタ１２７は、上面に端子１２７ａ１〜１２７ａ９が形成されたリジッド基板であり、コネクタ１２を外部機器と電気的に接続するためのコネクタとして機能する。本実施形態においては、電気コネクタ１２７として、カードエッジコネクタを用いている。
【００５０】
電気コネクタ１２７と上述した電気ケーブル１２６との接続は、例えば、以下のように実現される。すなわち、電気コネクタ１２７の下面には、電気信号を入出力するためのＩ／Ｏパッド１２７ｂ１〜１２７ｂ９が形成されている。そして、各Ｉ／Ｏパッド１２７ｂｉ（ｉ＝１，２，…，９）には、そのＩ／Ｏパッド１２７ｂｉに対応する帯状導体１２６ｂｉの他方の端部（電気回路基板１２５のＩ／Ｏパッド１２５ｃｉに半田付けされる端部と反対側の端部）が半田付けされている。これにより、電気ケーブル１２６と電気コネクタ１２７との電気的な接続が実現される。
【００５１】
電気コネクタ１２７は、上部筐体１２１ａの天板１２１ａ０に形成されたボス１２１ａ７に固定（例えば、ネジ止め）されている。このため、電気コネクタ１２７は、上部筐体１２１ａと一体的に取り扱うことが可能である。
【００５２】
電気コネクタ１２７と上述した電気回路基板１２５とを接続する電気ケーブル１２６の長さは、電気回路基板１２５のＩ／Ｏパッド１２５ｃ１〜１２４ｃ９から電気コネクタ１２７のＩ／Ｏパッド１２７ｂ１〜１２７ｂ９までの距離よりも長い。すなわち、電気ケーブル１２６は、余長を有しており、余長部分は、底板１２１ｂ０に近づく方向に曲がっている。このため、電気コネクタ１２７に引き抜く力が働いたとしても、主として電気ケーブル１２６に応力が掛かり、電気ケーブル１２６の余長部分が低減することになるので、電気ケーブル１２６と電気回路基板１２５との接続部分に応力が掛かりにくくなり、電気ケーブル１２６と電気回路基板１２５との接続不良を抑制できる。したがって、電気コネクタ１２７に引き抜く力が働くことによって生じ得る、電気ケーブル１２６と電気回路基板１２５との接続の不具合を抑制することが可能である。また、電気コネクタ１２７に押し込む力が働いたとしても、電気ケーブル１２６が余長部分を有するので、余長を有さない場合の構成による電気ケーブル１２６に対して急激なたわみが発生することを抑制できる。したがって、電気コネクタ１２７に押し込む力が働くことによって生じ得る、電気ケーブル１２６の座屈を抑制することができる。
【００５３】
〔アクティブ光ケーブルの特徴〕
以上のように、本実施形態に係るアクティブ光ケーブル１は、内部光ケーブル１２２（特許請求の範囲における「内部光配線」の一例）、及び、内部光配線１２２を収容する筐体１２１を含むコネクタ１２と、外部光ケーブル１１１（特許請求の範囲における「外部光配線」の一例）、及び、外部光ケーブル１１１と内部光ケーブル１２２とを光学的に接続するための雌型光コネクタ１１１ｃ（特許請求の範囲における「光コネクタ」の一例）を含む複合ケーブル１１（特許請求の範囲における「ケーブル」の一例）と、を備えており、雌型光コネクタ１１１ｃは、筐体１２１に嵌合している構成が採用されている。
【００５４】
上記の構成を採用することによって、外部光ケーブル１１１に引き抜く力又は押し込む力が働いたときに、その力が内部光ケーブル１２２に伝達されることを抑制することができる。このため、内部光ケーブル１２２に引き抜く力が働いたときに生じ得る、内部光ケーブル１２２と光回路基板１２３との接続の不具合を抑制することができる。また、内部光ケーブル１２２に押し込む力が働いたときに生じ得る、内部光ケーブル１２２に含まれる光ファイバ１２２ａ１又は光ファイバ１２２ａ２の座屈を防止することができる。
【００５５】
また、本実施形態に係るアクティブ光ケーブル１においては、上述したように、雌型光コネクタ１１１ｃが、外部光ケーブル１１１の一端に設けられており、内部光ケーブル１２２の一端に設けられた雄型光コネクタ１２２ｃ（特許請求の範囲における「他の光コネクタ」の一例）と挿抜可能に接続されている構成が採用されている。
【００５６】
上記の構成とは逆に、雌型光コネクタ１１１ｃが、内部光ケーブル１２２の一端に設けられており、外部光ケーブル１１１の一端に設けられた雄型光コネクタ１２２ｃに挿抜可能に接続されている構成を採用した場合、外部光ケーブル１１１の一端に設けられた雄型光コネクタ１２２ｃが筐体１２１に嵌合していないので、外部光ケーブル１１１に引き抜く力が働いたときに雄型光コネクタ１２２ｃが雌型光コネクタ１１１ｃから抜け、その結果、外部光ケーブル１１１と内部光ケーブル１２２との接続が断たれてしまうという事態が生じ易い。一方、上記の構成を採用した場合、外部光ケーブル１１１の一端に設けられた雌型光コネクタ１１１ｃが筐体１２１に嵌合しているので、このような事態が生じ難い。
【００５７】
また、本実施形態に係るアクティブ光ケーブル１においては、上述したように、（１）雌型光コネクタ１１１ｃに、鍔部１１１ｃ１が形成されており、（２）筐体１２１に、鍔部１１１ｃ１と相補的な形状を有する溝部１２１ａ５が形成されており、（３）雌型光コネクタ１１１ｃの鍔部１１１ｃ１が、筐体１２１の溝部１２１ａ５に嵌合している構成が採用されている。
【００５８】
上記の構成によれば、雌型光コネクタ１１１ｃを筐体１２１に更に確実に嵌合させることができる。これにより、外部光ケーブル１１１に引き抜く力又は押し込む力が働いたときに、その力が内部光ケーブル１２２に伝達されることを更に確実に抑制することができる。
【００５９】
なお、本実施形態に係るアクティブ光ケーブル１においては、雌型光コネクタ１１１ｃの鍔部１１１ｃ１が、筐体１２１の溝部１２１ａ５に圧入されている構成を採用することが好ましい。
【００６０】
上記の構成によれば、雌型光コネクタ１１１ｃの鍔部１１１ｃ１は、弾性収縮した状態で筐体１２１の溝部１２１ａ５に嵌合することになる。このため、雌型光コネクタ１１１ｃの鍔部１１１ｃ１の外表面と筐体１２１の溝部１２１ａ５の内表面との間の摩擦力を大きくすることができる。これにより、雌型光コネクタ１１１ｃの鍔部１１１ｃ１を上部筐体１２１ａの溝部１２１ａ５から抜け難くすることができる。
【００６１】
また、本実施形態に係るアクティブ光ケーブル１においては、雌型光コネクタ１１１ｃの鍔部１１１ｃ１が、筐体１２１の溝部１２１ａ５に接着固定されている構成を採用することが好ましい。
【００６２】
上記の構成によれば、雌型光コネクタ１１１ｃの鍔部１１１ｃ１を上部筐体１２１ａの溝部１２１ａ５から抜け難くすることができる。
【００６３】
別の見方をすると、本実施形態に係るアクティブ光ケーブル１は、内部光ケーブル１２２（特許請求の範囲における「内部光配線」の一例）と内部光ケーブル１２２の一端に接続された光回路基板１２３（特許請求の範囲における「半導体光導波路基板」の一例）とを含むコネクタ１２、及び、内部光ケーブル１２２の他端に接続された外部光ケーブル１１１（特許請求の範囲における「外部光配線の一例」）を含む複合ケーブル１１（特許請求の範囲における「ケーブル」の一例）を備えており、内部光ケーブル１２２は、余長を有して曲がっている、フレキシブルな光配線である構成が採用されている。
【００６４】
上記の構成によれば、内部光ケーブル１２２に引き抜く力が働くことによって生じ得る、内部光ケーブル１２２と光回路基板１２３との接続の不具合を抑制することができる。また、内部光ケーブル１２２に押し込む力が働くことによって生じ得る、内部光ケーブル１２２に含まれる光ファイバ１２２ａ１又は光ファイバ１２２ａ２の座屈を抑制することができる。
【００６５】
なお、本実施形態に係るアクティブ光ケーブル１においては、上述したように、内部光ケーブル１２２が、リボン光ファイバケーブルである構成が採用されている。ただし、内部光ケーブル１２２は、外部光ケーブル１１１を含む複合ケーブル１１を備えており、内部光ケーブル１２２は、余長を有して曲がっている、フレキシブルな光配線であればよく、必ずしもリボン光ファイバケーブルであることを要さない。例えば、内部に光導波路が形成された薄型樹脂基板を内部光ケーブル１２２として用いることも可能である。
【００６６】
また、本実施形態に係るアクティブ光ケーブル１においては、上述したように、光回路基板１２３が、シリコン光導波路基板である構成が採用されている。ただし、光回路基板１２３は、半導体光導波路基板であればよく、必ずしもシリコン光導波路基板であることを要さない。例えば、インジウム／リン光導波路基板を光回路基板１２３として用いることも可能である。
【００６７】
なお、本実施形態に係るアクティブ光ケーブル１においては、内部光ケーブル１２２の曲げ半径が、略３０ｍｍである構成を採用することが好ましい。具体的には、光ケーブル１２２の曲げ半径が、３０ｍｍ±５ｍｍ（２５ｍｍ以上３５ｍｍ以下）であることが好ましく、３０ｍｍ±４ｍｍ（２６ｍｍ以上３４ｍｍ以下）であることが更に好ましく、３０ｍｍ±３ｍｍ（２７ｍｍ以上３３ｍｍ以下）であることが更に好ましく、３０ｍｍ±２ｍｍ（２８ｍｍ以上３２ｍｍ以下）であることが更に好ましく、３０ｍｍ±１ｍｍ（２９ｍｍ以上３１ｍｍ以下）であることが更に好ましい。ただし、光ケーブル１２２の曲げ半径は、３０ｍｍ±６ｍｍ（２４ｍｍ以上３６ｍｍ以下）であってもよく、３０ｍｍ±７ｍｍ（２３ｍｍ以上３７ｍｍ以下）であってもよく、３０ｍｍ±８ｍｍ（２２ｍｍ以上３８ｍｍ以下）であってもよく、３０ｍｍ±９ｍｍ（２１ｍｍ以上３９ｍｍ以下）であってもよく、３０ｍｍ±１０ｍｍ（２０ｍｍ以上４０ｍｍ以下）であってもよい。
【００６８】
上記の構成によれば、曲げ損失が増大することを抑制しつつ、内部光ケーブル１２２に引き抜く力が働くことによって生じ得る、内部光ケーブル１２２と光回路基板１２３との接続の不具合を十分に抑制することができる。また、曲げ損失が増大することを抑制しつつ、内部光ケーブル１２２に押し込む力が働くことによって生じ得る、内部光ケーブル１２２に含まれる光ファイバ１２２ａ１又は光ファイバ１２２ａ２の座屈を十分に抑制することができる。
【００６９】
また、本実施形態に係るアクティブ光ケーブル１においては、内部光ケーブル１２２の被覆１２２ｂが、曲がった状態で硬化されている構成を採用することが好ましい。
【００７０】
上記の構成によれば、アクティブ光ケーブル１を製造する際に、所望の曲げ半径を有する内部光ケーブル１２２をコネクタ１２に実装することが容易になる。
【００７１】
また、本実施形態に係るアクティブ光ケーブル１においては、図２に示したように、内部光ケーブル１２２が単一の山を形成するように曲がっている構成を採用することが好ましい。
【００７２】
上記の構成によれば、内部光ケーブル１２２に対して応力が過度に掛かり難くなる。
【００７３】
また、本実施形態に係るアクティブ光ケーブル１においては、図２に示したように、上述した単一の山が、コネクタ１２に含まれる電気回路基板１２５と重なる位置に形成されている構成を採用することが好ましい。
【００７４】
上記の構成によれば、電気回路基板１２５をコネクタ１２の複合ケーブル１１に接続されている側の端部（第１側壁１２１ａ１もしくは第１側壁１２１ｂ１）に近づけて配置することができる。このため、コネクタ１２のサイズを小型化することができる。また、コネクタ１２内部において、各種電気部品や光部品の実装密度を向上させることが可能となる。
【００７５】
また、本実施形態に係るアクティブ光ケーブル１においては、上述したように、（１）コネクタ１２、及び、電気ケーブル１２６（特許請求の範囲における「内部電気配線」の一例）に接続されると共に、電気ケーブル１２６を介して電気コネクタ１２７に接続された電気回路基板１２５を更に含んでおり、（２）電気ケーブル１２６は、余丁を有して曲がっている、フレキシブルな電気配線である構成が採用されている。
【００７６】
上記の構成によれば、電気コネクタ１２７に引き抜く力が働くことによって生じ得る、電気ケーブル１２６と電気回路基板１２５との接続の不具合を抑制することができる。また、電気コネクタ１２７に押し込む力が働くことによって生じ得る、電気ケーブル１２６の座屈を抑制することができる。
【００７７】
なお、本実施形態に係るアクティブ光ケーブル１においては、上述したように、電気ケーブル１２６が、ＦＰＣケーブルである構成が採用されている。ただし、電気ケーブル１２６は、余丁を有して曲がっている、フレキシブルな電気配線であればよく、必ずしもＦＰＣケーブルであることを要さない。例えば、ＦＦＣを電気ケーブル１２６として用いることも可能である。
【００７８】
〔アクティブ光ケーブルの製造方法〕
アクティブ光ケーブル１の製造方法は、複合ケーブル１１の一端に第１のコネクタ１２を組み付ける第１の組み付け工程と、複合ケーブル１１の他端に第２のコネクタ１３を組み付ける第２の組み付け工程と、を含む。第２の組み付け工程は、第１の組み付け工程と同様の方法により実施することができるので、ここでは、第１の組み付け工程を実施する方法について、図３〜図１０を参照して説明する。
【００７９】
（第１の工程）電気回路基板と電気コネクタとの接続
まず、電気回路基板１２５と電気コネクタ１２７とを、電気ケーブル１２６を用いて接続する。具体的には、（ａ）電気ケーブル１２６の一端において、電気ケーブル１２６の帯状導体１２６ｂ１〜１２６ｂ９を、電気回路基板１２５のＩ／Ｏパッド１２５ｃ１〜１２５ｃ９に接続し、（ｂ）電気ケーブル１２６の他端において、電気ケーブル１２６の帯状導体１２６ｂ１〜１２６ｂ９を、電気コネクタ１２７のＩ／Ｏパッド１２７ｂ１〜１２７ｂ９に接続する。図３は、第１の工程を実施する様子を模式的に示す断面図である。
【００８０】
（第２の工程）ヒートシンク、台座、及び光回路基板の一体化
次に、ヒートシンク１２９、台座１２８、及び光回路基板１２３を一体化する。具体的には、（ａ）ヒートシンク１２９の上面に台座１２８の下面を接合し、（ｂ）台座１２８の上面に光回路基板１２３の下面を接合する。図４は、第２の工程を実施する様子を模式的に示す断面図である。
【００８１】
（第３の工程）ヒートシンク、台座、及び光回路基板の電気回路基板への取り付け
次に、第２の工程において一体化されたヒートシンク１２９、台座１２８、及び光回路基板１２３を、電気回路基板１２５に取り付ける。具体的には、光回路基板１２３が電気回路基板１２５の開口１２５ａの内部に配置されるように、ヒートシンク１２９の上面の外周部を電気回路基板１２５の下面に固定する。図５は、第３の工程を実施する様子を模式的に示す断面図である。
【００８２】
（第４の工程）光回路基板と電気回路基板との接続（ワイヤボンディング）
次に、光回路基板１２３と電気回路基板１２５とを、ワイヤ群１２４を用いて接続する。具体的には、ワイヤ群１２４に含まれる各ワイヤ１２４ａｉについて、（ａ）ワイヤ１２４ａｉの一端を光回路基板１２３のＩ／Ｏパッド１２３ｂｉにボンディングし、（ｂ）ワイヤ１２４ａｉの他端を電気回路基板１２５のＩ／Ｏパッド１２５ｂｉにボンディングする。図６は、第４の工程を実施する様子を模式的に示す断面図である。
【００８３】
（第５の工程）内部光ケーブルの光回路基板への接続
次に、内部光ケーブル１２２の一端を、光回路基板１２３に接続する。具体的には、内部光ケーブル１２２の一端において、内部光ケーブル１２２の光ファイバ１２２ａ１〜１２２ａ２を、光回路基板１２３のＶ溝１２３ｂ１〜１２３ｂ２に接着固定する。図７は、第５の工程を実施する様子を模式的に示す断面図である。
【００８４】
（第６の工程）内部光ケーブルと外部光ケーブルとの接続
次に、内部光ケーブル１２２と外部光ケーブル１１１とを接続する。具体的には、内部光ケーブル１２２の一端に設けられた雄型光コネクタ１２２ｃを、外部光ケーブル１１１の一端に設けられた雌型光コネクタ１１１ｃに挿入する。図８は、第６の工程を実施する様子を模式的に示す断面図である。
【００８５】
（第７の工程）中間生成物の上部筐体への取り付け
次に、以上の工程により得られた中間生成物（外部光ケーブル１１１、内部光ケーブル１２２、光回路基板１２３、ワイヤ群１２４、電気回路基板１２５、電気ケーブル１２６、電気コネクタ１２７を含む）を、上部筐体１２１ａに取り付ける。具体的には、（ａ）外部光ケーブル１１１の一端に設けられた雌型光コネクタ１１１ｃの鍔部１１１ｃ１を、上部筐体１２１ａの第１側壁１２１ａ１に形成された溝部１２１ａ５に嵌合させ、（ｂ）外部光ケーブル１１１の被覆１１３の端部を、上部筐体１２１ａの第１側壁１２１ａ１の外側に設けられた筒状部１２１ａ８に接着固定し、（ｃ）電気回路基板１２５を、上部筐体１２１の天板１２１ａ０に設けられたボス１２１ａ６にネジ止めし、（ｄ）電気コネクタ１２７を、上部筐体１２１ａの天板１２１ａ０に設けられたボス１２１ａ７にネジ止めする。図９は、第７の工程を実施する様子を模式的に示す断面図である。
【００８６】
（第８の工程）下部筐体の上部筐体への取り付け
最後に、下部筐体１２１ｂを上部筐体１２１ａに取り付ける。これにより、複合ケーブル１１へのコネクタ１２の組み付けが完了する。図１０は、第８の工程を実施する様子を模式的に示す断面図である。
【００８７】
〔付記事項〕
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００８８】
１          アクティブ光ケーブル
１１          複合ケーブル
１２          第１のコネクタ
１２１          筐体
１２２          光ケーブル
１２３          光回路基板
１２４          ワイヤ群
１２５          電気回路基板
１２６          電気ケーブル
１２７          電気コネクタ
１２８          台座
１２９          ヒートシンク
１３          第２のコネクタ
【図１】
2019168605.tif 000003
【図２】
2019168605.tif 000004
【図３】
2019168605.tif 000005
【図４】
2019168605.tif 000006
【図５】
2019168605.tif 000007
【図６】
2019168605.tif 000008
【図７】
2019168605.tif 000009
【図８】
2019168605.tif 000010
【図９】
2019168605.tif 000011
【図１０】
2019168605.tif 000012